(57)【特許請求の範囲】
【請求項１】
表示画面を有する表示パネルと、
少なくとも前面部と前記前面部の周に沿って形成された側面部とを有して内部に前記表示パネルを収容すると共に前記前面部に前記表示パネルの前記表示画面に対向する表示開口部が形成された導電性を有する筐体と、
前記筐体の前記表示開口部よりも大きなサイズを有すると共に前記筐体の外側から前記表示開口部を覆うように配置されることで前記筐体の前記前面部の上に重なり且つ前記表示開口部を囲む枠形状の重複領域を形成する透明導電性フィルムと、
前記透明導電性フィルムよりも小さく且つ前記筐体の前記表示開口部よりも大きなサイズを有すると共に外周部が前記透明導電性フィルムの前記重複領域の領域内に位置するように前記透明導電体フィルムに接合されたタッチパネルと、
前記表示開口部を囲む枠形状を有すると共に内周部分が前記透明導電性フィルムの前記重複領域の上に重なり且つ外周部分が前記筐体の前記側面部の外側に重なるように前記筐体の前記前面部および前記側面部の上に被せられた導電性を有する縁部材と
を備え、
前記透明導電性フィルムは、前記重複領域において前記筐体の前記前面部に貼り合わされ、
前記透明導電性フィルムの前記重複領域のうち外周側に位置する部分が、前記タッチパネルの周に沿って前記タッチパネルの外側に張り出した枠形状の張り出し領域を形成し、
前記縁部材の内周部分は、前記透明導電性フィルムの前記張り出し領域の上に重なることを特徴とする表示装置。
【請求項２】
前記筐体は、前記前面部に対向する底面部を有し、前記表示開口部を除いて前記表示パネルの周囲を覆っている請求項１に記載の表示装置。
【請求項３】
前記透明導電性フィルムと前記筐体の前記前面部とを互いに貼り合わせる両面接着テープをさらに備えた請求項１または２に記載の表示装置。
【請求項４】
前記透明導電性フィルムは、接着剤により前記筐体の前記前面部に接着されている請求項１または２に記載の表示装置。
【請求項５】
前記筐体および前記縁部材は、金属または表面に導電層が形成された絶縁体から形成されている請求項１〜４のいずれか一項に記載の表示装置。
【請求項６】
前記透明導電性フィルムは、絶縁性フィルムと、前記絶縁性フィルムの表面上に形成された導電層からなる請求項１〜５のいずれか一項に記載の表示装置。
【請求項７】
前記縁部材の前記外周部分は、前記筐体に電気的に接続されている請求項１〜６のいずれか一項に記載の表示装置。
【請求項８】
前記筐体の前記表示開口部の外側に位置する部分の前記タッチパネルを覆う外装カバーをさらに備えた請求項１〜７のいずれか一項に記載の表示装置。
【請求項９】
前記外装カバーは、絶縁体からなり、前記縁部材をも覆っている請求項８に記載の表示装置。
【請求項１０】
前記外装カバーは、前記縁部材により形成されている請求項８に記載の表示装置。
【請求項１１】
前記タッチパネルは、透明な接着剤により前記透明導電性フィルムに接着されている請求項１〜１０のいずれか一項に記載の表示装置。
【請求項１２】
前記縁部材の前記内周部分と前記タッチパネルの外側に張り出している前記透明導電性フィルムの前記重複領域との間を塞ぐと共に導電粒子を含むガスケットをさらに備えた請求項１〜１１のいずれか一項に記載の表示装置。
【発明の詳細な説明】
【技術分野】
【０００１】
この発明は、表示装置に係り、特に、タッチパネルを備えた表示装置に関する。
【背景技術】
【０００２】
液晶表示装置等の表示装置は、各種の電子機器と組み合わせて使用されることが多く、画面に接触することにより電子機器への入力操作を行うタッチパネルを備えた表示装置の普及が進んでいる。
この種の表示装置としては、表示装置から放射される電磁波ノイズにより周辺の電子機器の動作に影響を与えることを防止すると共に、外部からの電磁波ノイズにより表示装置の動作が影響を受けることを防止するため、電磁妨害（ＥＭＩ）の対策を施したものが望まれている。
【０００３】
例えば、特許文献１には、図８に示されるような表示装置が開示されている。この表示装置では、開口部１Ａを有し且つ接地された金属ケース１の内部に液晶表示パネル２とバックライトユニット３が配置されると共に、開口部１Ａを閉じるように金属ケース１の外側にタッチパネル４が配置されている。さらに、タッチパネル４に対向する液晶表示パネル２の表示画面側に透明導電膜５が配置され、この透明導電膜５を金属ケース１に接続することにより、液晶表示パネル２が電磁シールドされている。
【先行技術文献】
【特許文献】
【０００４】
【特許文献１】特開２００２−３４１３７２号公報
【発明の概要】
【発明が解決しようとする課題】
【０００５】
特許文献１の表示装置では、液晶表示パネル２の表示画面側に配置された透明導電膜５の存在により、液晶表示パネル２で発生した電磁波ノイズが表示画面から金属ケース１の開口部１Ａを通して表示装置の外部へ放射されることが防止されている。
しかしながら、液晶表示パネル２で発生した電磁波ノイズが、表示画面以外の液晶表示パネル２の背面および側面等から放射されて、金属ケース１の内部で反射した後、金属ケース１の開口部１Ａの周辺における金属ケース１と透明導電膜５との隙間および金属ケース１とタッチパネル４との隙間を通して表示装置の外部に漏出するという問題があった。
特に、磁気共鳴画像（ＭＲＩ）検査等を行う医療用装置に用いられる表示装置においては、わずかな電磁波ノイズの漏出に対しても、高い遮断効果が要求されている。
【０００６】
この発明は、このような従来の問題点を解消するためになされたもので、電磁波ノイズの漏出を効果的に防止することができる表示装置を提供することを目的とする。
【課題を解決するための手段】
【０００７】
この発明に係る表示装置は、表示画面を有する表示パネルと、少なくとも前面部と前面部の周に沿って形成された側面部とを有して内部に表示パネルを収容すると共に前面部に表示パネルの表示画面に対向する表示開口部が形成された導電性を有する筐体と、筐体の表示開口部よりも大きなサイズを有すると共に筐体の外側から表示開口部を覆うように配置されることで筐体の前面部の上に重なり且つ表示開口部を囲む枠形状の重複領域を形成する透明導電性フィルムと、透明導電性フィルムよりも小さく且つ筐体の表示開口部よりも大きなサイズを有すると共に外周部が透明導電性フィルムの重複領域の領域内に位置するように透明導電体フィルムに接合されたタッチパネルと、表示開口部を囲む枠形状を有すると共に内周部分が透明導電性フィルムの重複領域の上に重なり且つ外周部分が筐体の側面部の外側に重なるように筐体の前面部および側面部の上に被せられた導電性を有する縁部材とを備え、透明導電性フィルムは、重複領域において筐体の前面部に貼り合わされ、透明導電性フィルムの重複領域のうち外周側に位置する部分が、タッチパネルの周に沿ってタッチパネルの外側に張り出した枠形状の張り出し領域を形成し、縁部材の内周部分は、透明導電性フィルムの張り出し領域の上に重なるものである。
【０００８】
好ましくは、筐体は、前面部に対向する底面部を有し、表示開口部を除いて表示パネルの周囲を覆っている。
透明導電性フィルムと筐体の前面部とを互いに貼り合わせる両面接着テープをさらに備えてもよく、あるいは、透明導電性フィルムが接着剤により筐体の前面部に接着されていてもよい。
筐体および縁部材は、金属または表面に導電層が形成された絶縁体から形成することができる。
また、透明導電性フィルムは、絶縁性フィルムと、絶縁性フィルムの表面上に形成された導電層から形成することができる。
縁部材の外周部分は、筐体の側面部に電気的に接続されていてもよい。
【０００９】
筐体の表示開口部の外側に位置する部分のタッチパネルを覆う外装カバーをさらに備えることができる。外装カバーは、絶縁体からなり、縁部材をも覆うものでもよく、あるいは、縁部材により外装カバーが形成されていてもよい。
また、タッチパネルは、透明な接着剤により透明導電性フィルムに接着することができる。
縁部材の内周部分とタッチパネルの外側に張り出している透明導電性フィルムの重複領域との間を塞ぐと共に導電粒子を含むガスケットをさらに備えてもよい。
【発明の効果】
【００１０】
この発明によれば、導電性を有する筐体の外側から表示開口部を覆うように配置された透明導電性フィルムが筐体の前面部の上に重なり且つ表示開口部を囲む枠形状の重複領域を形成し、外周部が透明導電性フィルムの重複領域の上に位置するようにタッチパネルが透明導電体フィルムに接合され、導電性を有する縁部材の内周部分がタッチパネルの外側に張り出している透明導電性フィルムの重複領域の上に重なり且つ外周部分が筐体の側面部の外側に重なるので、電磁波ノイズの漏出を効果的に防止することが可能となる。
【図面の簡単な説明】
【００１１】
【図１】この発明の実施の形態１に係る表示装置を示す断面図である。
【図２】実施の形態１に係る表示装置を示す平面図である。
【図３】実施の形態１に係る表示装置の要部拡大断面図である。
【図４】実施の形態１の変形例に係る表示装置の要部拡大断面図である。
【図５】実施の形態２に係る表示装置の要部拡大断面図である。
【図６】実施の形態３に係る表示装置の要部拡大断面図である。
【図７】実施の形態４に係る表示装置の要部拡大断面図である。
【図８】従来の表示装置を示す断面図である。
【発明を実施するための形態】
【００１２】
以下、この発明の実施の形態を添付図面に基づいて説明する。
実施の形態１
図１に、この発明の実施の形態１に係る表示装置の構成を示す。表示装置は、金属からなる筐体１１を有している。筐体１１は、底面部１１Ａと、底面部１１Ａに対向する前面部１１Ｂと、底面部１１Ａおよび前面部１１Ｂの周に沿って形成された側面部１１Ｃとを有し、前面部１１Ｂに幅Ｗ１の表示開口部１１Ｄが形成されている。これら底面部１１Ａ、前面部１１Ｂおよび側面部１１Ｃにより、筐体１１の内部に、表示開口部１１Ｄを通してのみ筐体１１の外部と流通可能な内部空間１１Ｅが形成されている。
この筐体１１の内部空間１１Ｅに、液晶表示パネル１２が収容されている。液晶表示パネル１２は、表示画面１２Ａが筐体１１の表示開口部１１Ｄに対向するように配置されている。なお、図示しないが、筐体１１の内部空間１１Ｅには、さらに、液晶表示パネル１２のためのバックライトユニットおよび駆動回路も収容されているものとする。
【００１３】
筐体１１の前面部１１Ｂには、筐体１１の外側から表示開口部１１Ｄを覆うように透明導電性フィルム１３が配置されている。透明導電性フィルム１３は、筐体１１の表示開口部１１Ｄの幅Ｗ１よりも大きな幅Ｗ２を有しており、透明導電性フィルム１３の周縁部分が、筐体１１の前面部１１Ｂの上に重なって、筐体１１の表示開口部１１Ｄを囲む枠形状の重複領域Ｒ１を形成している。
透明導電性フィルム１３の上にタッチパネル１４が接合されている。タッチパネル１４は、透明導電性フィルム１３の幅Ｗ２よりも小さく且つ筐体１１の表示開口部１１Ｄの幅Ｗ１よりも大きな幅Ｗ３を有し、タッチパネル１４の外周部が透明導電性フィルム１３の重複領域Ｒ１の上、すなわち、重複領域Ｒ１の領域内に位置している。このため、透明導電性フィルム１３の重複領域Ｒ１のうち外周側に位置する部分が、タッチパネル１４の周に沿ってタッチパネル１４の外側に張り出しており、この張り出した重複領域Ｒ１の部分によって張り出し領域Ｒ２が形成されている。
【００１４】
そして、筐体１１の前面部１１Ｂおよび側面部１１Ｃの上に、金属からなる縁部材１５が被せられるように配置されている。縁部材１５は、タッチパネル１４の外周を囲むと共にＬ字形の断面の枠形状を有し、縁部材１５の内周部分１５Ａが透明導電性フィルム１３の張り出し領域Ｒ２の上に重なると共に、内周部分１５Ａに対してＬ字形に屈曲された外周部分１５Ｂが筐体１１の側面部１１Ｃの外側に重なっている。
さらに、縁部材１５の上に外装カバー１６が配置されている。外装カバー１６は、樹脂等の絶縁体からなると共に、筐体１１の表示開口部１１Ｄのサイズにほぼ対応するサイズの開口部１６Ａを有し、筐体１１の表示開口部１１Ｄの外側に位置する部分のタッチパネル１４および縁部材１５を覆っている。外装カバー１６は、筐体１１の底面部１１Ａをすべて覆っていてもよく、あるいは、底面部１１Ａを含む筐体１１の一部を露出させるような形状とすることもできる。
【００１５】
透明導電性フィルム１３は、図１に示した幅方向だけでなく、幅方向に直交する奥行き方向をも含めて、筐体１１の表示開口部１１Ｄよりも大きなサイズを有しており、図２に示されるように、奥行き方向において、表示開口部１１Ｄの長さＬ１よりも大きな長さＬ２を有している。同様に、タッチパネル１４は、幅方向および奥行き方向の双方で、透明導電性フィルム１３よりも小さく且つ筐体１１の表示開口部１１Ｄよりも大きなサイズを有しており、図２に示されるように、奥行き方向において、透明導電性フィルム１３の長さＬ２よりも小さく且つ筐体１１の表示開口部１１Ｄの長さＬ１よりも大きな長さＬ３を有している。
【００１６】
図２では、透明導電性フィルム１３の重複領域Ｒ１が、網目を付されて表示されている。筐体１１の表示開口部１１Ｄの外側に位置する透明導電性フィルム１３の周縁部分により形成される重複領域Ｒ１が、筐体１１の表示開口部１１Ｄの周囲を囲む枠形状を有することが示されている。
同様に、タッチパネル１４の外側に張り出した張り出し領域Ｒ２も、タッチパネル１４の周囲を囲む枠形状を有している。
【００１７】
図３に示されるように、透明導電性フィルム１３は、絶縁性フィルム１３Ａと、絶縁性フィルム１３Ａの表面全体の上に形成された導電層１３Ｂからなり、透明な接着剤を用いて絶縁性フィルム１３Ａにタッチパネル１４が接着されている。透明な接着剤としては、液晶表示パネル１２の表示画面１２Ａの視認性を高めるために、可視光に対する透過率の優れた接着剤を用いることが好ましい。
また、重複領域Ｒ１において、透明導電性フィルム１３の導電層１３Ｂが、両面接着テープ１７により筐体１１の前面部１１Ｂに貼り合わされ、これにより透明導電性フィルム１３が筐体１１に固定されている。
さらに、縁部材１５の外周部分１５Ｂが、ボルト１８により筐体１１の側面部１１Ｃに固定され、縁部材１５が筐体１１に電気的に接続されている。
【００１８】
表示装置の動作時には、液晶表示パネル１２が作動し、外装カバー１６の開口部１６Ａ内でタッチパネル１４および透明導電性フィルム１３を通して液晶表示パネル１２の表示画面１２Ａが視認される。
このとき、液晶表示パネル１２の作動に伴って、筐体１１の内部空間１１Ｅに収容されている液晶表示パネル１２から電磁波ノイズが放出されるおそれがあるが、筐体１１の内部空間１１Ｅは、表示開口部１１Ｄを通してのみ筐体１１の外部と流通可能であり、筐体１１が金属から形成されているため、電磁波ノイズが表示開口部１１Ｄ以外の箇所から筐体１１の外部に漏出することが防止される。
【００１９】
さらに、筐体１１の外側から表示開口部１１Ｄを覆うように透明導電性フィルム１３が配置され、透明導電性フィルム１３が絶縁性フィルム１３Ａの表面全体の上に形成された導電層１３Ｂを有しているので、電磁波ノイズが表示開口部１１Ｄに対向する透明導電性フィルム１３を透過して表示装置の外部に漏出することが防止される。
また、透明導電性フィルム１３と筐体１１の前面部１１Ｂとが両面接着テープ１７により貼り合わされているため、図３に示される電磁波ノイズＮのように、液晶表示パネル１２から放出された後に筐体１１の表示開口部１１Ｄを通ると共に透明導電性フィルム１３と筐体１１の前面部１１Ｂとの間の隙間を通して筐体１１の外側に抜け出るものがある。しかしながら、金属からなる縁部材１５が、筐体１１の前面部１１Ｂおよび側面部１１Ｃの上に被せられ、縁部材１５の内周部分１５Ａが透明導電性フィルム１３の張り出し領域Ｒ２の上に重なると共に外周部分１５Ｂが筐体１１の側面部１１Ｃの外側に重なっている。このため、透明導電性フィルム１３と筐体１１の前面部１１Ｂとの間の隙間を通して筐体１１の外側に抜け出た電磁波ノイズＮは、縁部材１５により封じ込められ、表示装置の外部へ漏出することが防止される。
【００２０】
このようにして、筐体１１と透明導電性フィルム１３と縁部材１５の存在により、表示装置の外部への電磁波ノイズの漏出を効果的に防止することができ、表示装置の周辺に配置された電子機器の動作に影響を与えることを回避することができる。また、逆に、表示装置の外部からの電磁波ノイズが、筐体１１の内部空間１１Ｅに収容されている液晶表示パネル１２にまで浸入して、液晶表示パネル１２の動作が影響を受けることを防止することができる。
【００２１】
なお、筐体１１および縁部材１５は、金属から形成されていたが、導電性を有していればよく、表面に導電層が形成された絶縁体から形成することもできる。例えば、絶縁性樹脂の表面にコーティングまたはメッキにより金属層が形成されたものを用いることが可能である。
【００２２】
また、透明導電性フィルム１３を構成する絶縁性フィルム１３Ａは、例えば、ＰＥＴ（ポリエチレンテレフタレート、Polyethylene Terephthalate）から形成することができ、導電層１３Ｂとしては、例えば、ＩＴＯ（酸化インジウムスズ、Indium Tin Oxide）、ＡＺＯ（酸化亜鉛アルミニウム、Al doped ZnO）、ＩＺＯ（酸化インジウム亜鉛、Indium Zinc Oxide）等の透明な金属酸化物を用いることもできる。
上記の実施の形態１では、透明導電性フィルム１３の絶縁性フィルム１３Ａにタッチパネル１４が接着されると共に導電層１３Ｂが両面接着テープ１７により筐体１１の前面部１１Ｂに貼り合わされていたが、逆に、導電層１３Ｂにタッチパネル１４が接着されると共に絶縁性フィルム１３Ａが両面接着テープ１７により筐体１１の前面部１１Ｂに貼り合わされていてもよい。この場合、絶縁性フィルム１３Ａも、表示開口部１１Ｄを通った電磁波ノイズが筐体１１の外側へ抜け出る経路となり得るが、電磁波ノイズは、縁部材１５により封じ込められ、表示装置の外部へ漏出することが防止される。
【００２３】
さらに、透明導電性フィルム１３と筐体１１の前面部１１Ｂとを両面接着テープ１７で貼り合わせる代わりに、図４に示されるように、接着剤１９を用いて透明導電性フィルム１３と筐体１１の前面部１１Ｂとを接着することができる。この場合も、透明導電性フィルム１３の絶縁性フィルム１３Ａおよび導電層１３Ｂのいずれを接着剤１９で筐体１１の前面部１１Ｂに接着してもよい。
【００２４】
実施の形態２
上記の実施の形態１では、縁部材１５の外周部分１５Ｂが、ボルト１８により筐体１１の側面部１１Ｃに固定されることで、縁部材１５が筐体１１に電気的に接続されていたが、これに限るものではなく、図５に示されるように、縁部材１５と筐体１１とが、互いに電気的に分離されていてもよい。
このような構成であっても、導電性を有する縁部材１５の内周部分１５Ａが透明導電性フィルム１３の張り出し領域Ｒ２の上に重なると共に外周部分１５Ｂが筐体１１の側面部１１Ｃの外側に重なっているので、透明導電性フィルム１３と筐体１１の前面部１１Ｂとの間の隙間を通して筐体１１の外側に抜け出た電磁波ノイズは、縁部材１５により封じ込められ、表示装置の外部へ漏出することが防止される。
ただし、実施の形態１のように、縁部材１５の外周部分１５Ｂを筐体１１の側面部１１Ｃに固定して縁部材１５を筐体１１に電気的に接続した方が、電磁波ノイズを封じ込める効果が高まり、好ましい。
【００２５】
実施の形態３
上記の実施の形態１および２では、縁部材１５の上に絶縁体からなる外装カバー１６が配置されていたが、図６に示されるように、金属からなる縁部材２０が外装カバーを兼ねていてもよい。すなわち、縁部材２０の内周部分２０Ａが、透明導電性フィルム１３の張り出し領域Ｒ２の上に重なると共に、さらに、タッチパネル１４の上に延びて、筐体１１の表示開口部１１Ｄの外側に位置する部分のタッチパネル１４を覆っている。なお、縁部材２０の外周部分２０Ｂは、筐体１１の側面部１１Ｃの外側に重なっている
このような構成にすれば、外装カバーを別部品として備える必要がなく、部品点数の削減を図ることができる。
なお、縁部材２０を金属から形成する代わりに、表面に導電層が形成された絶縁体から縁部材２０を形成することもできる。
【００２６】
実施の形態４
上述した実施の形態１〜３において、図７に示されるように、透明導電性フィルム１３の重複領域Ｒ１のうちタッチパネル１４の外側に張り出している張り出し領域Ｒ２と縁部材１５の内周部分１５Ａとの間に導電粒子を含むガスケット２１を配置して、ガスケット２１により透明導電性フィルム１３と縁部材１５との間を塞ぐように構成することもできる。
透明導電性フィルム１３と縁部材１５との間にガスケット２１を配置しなくても、導電性を有する縁部材１５を筐体１１の前面部１１Ｂおよび側面部１１Ｃの上に被せるように配置することで、表示装置の外部への電磁波ノイズの漏出を十分に防止することができるが、導電粒子を含むガスケット２１で透明導電性フィルム１３の張り出し領域Ｒ２と縁部材１５の内周部分１５Ａとの間を塞ぐことにより、さらに電磁波ノイズを封じ込める効果が向上する。
【００２７】
なお、実施の形態１〜４においては、筐体１１の内部空間１１Ｅに液晶表示パネル１２が収容されていたが、この発明は、液晶表示方式に限るものではなく、プラズマ表示パネル、有機ＥＬ（有機エレクトロルミネッセンス）表示パネル等、各種方式の表示パネル、および、それらの駆動回路、バックライトユニット等を筐体１１の内部空間１１Ｅに収容することができる。
【符号の説明】
【００２８】
１  金属ケース、１Ａ  開口部、２  液晶表示パネル、３  バックライトユニット、４  タッチパネル、５  透明導電膜、１１  筐体、１１Ａ  底面部、１１Ｂ  前面部、１１Ｃ  側面部、１１Ｄ  表示開口部、１１Ｅ  内部空間、１２  液晶表示パネル、１２Ａ  表示画面、１３  透明導電性フィルム、１３Ａ  絶縁性フィルム、１３Ｂ  導電層、１５，２０  縁部材、１５Ａ，２０Ａ  内周部分、１５Ｂ，２０Ｂ  外周部分、１６  外装カバー、１６Ａ  開口部、１７  両面接着テープ、１８  ボルト、１９  接着剤、２１  ガスケット、Ｗ１  表示開口部の幅、Ｗ２  透明導電性フィルムの幅、Ｗ３  タッチパネルの幅、Ｒ１  重複領域、Ｒ２  張り出し領域、Ｌ１  表示開口部の長さ、Ｌ２  透明導電性フィルムの長さ、Ｌ３  タッチパネルの長さ、Ｎ  電磁波ノイズ。
【図１】
0006342243.tif 000002
【図２】
0006342243.tif 000003
【図３】
0006342243.tif 000004
【図４】
0006342243.tif 000005
【図５】
0006342243.tif 000006
【図６】
0006342243.tif 000007
【図７】
0006342243.tif 000008
【図８】
0006342243.tif 000009